(57)【特許請求の範囲】
【請求項１】
光ファイバ同士を融着接続するための融着接続機と、
前記融着接続機と接続され、前記融着接続機の保守管理を行うためのデータ管理端末機とを備え、
前記融着接続機は、前記光ファイバ同士を融着する融着部を含む機器本体と、予め決められた手順に従って前記融着接続機の光ファイバ接続機能を診断する診断手段と、前記光ファイバ接続機能の診断結果データを記憶するメモリと、前記メモリに記憶された前記診断結果データを出力する手段とを有し、
前記データ管理端末機は、前記メモリに記憶された前記診断結果データを取り出し、前記診断結果データを含む情報を表示部に表示させると共に、前記メモリに予め記憶されている前記光ファイバ接続機能に関するパラメータ及びプログラムの少なくとも一方を更新することを特徴とする融着接続装置。
【請求項２】
前記診断手段は、前記融着接続機のハードウェアの機能を検査する手段と、前記機器本体に前記光ファイバがセットされた時の前記機器本体の機能及び動作状況を検査する手段と、前記光ファイバが融着接続された時の前記光ファイバの接続状態を検査する手段とを有することを特徴とする請求項１記載の融着接続装置。
【請求項３】
前記データ管理端末機は、前記メモリに記憶された前記診断結果データを保守局に送信すると共に、前記保守局から送られてくる更新信号を受けて前記光ファイバ接続機能に関するパラメータ及びプログラムの少なくとも一方を更新することを特徴とする請求項１又は２に記載の融着接続装置。
【請求項４】
光ファイバ同士を融着接続するための融着接続機を保守管理する融着接続機の保守管理方法であって、
前記融着接続機の保守管理を行うためのデータ管理端末機を前記融着接続機に接続する工程と、
予め決められた手順に従って前記融着接続機の光ファイバ接続機能を診断し、前記光ファイバ接続機能の診断結果データをメモリに記憶させる工程と、
前記メモリに記憶された前記診断結果データを前記データ管理端末機によって取り出し、前記診断結果データを含む情報を前記データ管理端末機の表示部に表示させる工程と、
前記メモリに予め記憶されている前記光ファイバ接続機能に関するパラメータ及びプログラムの少なくとも一方を前記データ管理端末機によって更新する工程と、
前記データ管理端末機により取り出した前記診断結果データを保守局に送信する工程と、
前記保守局において、前記診断結果データに基づいて前記融着接続機の保守管理を行う工程とを含むことを特徴とする融着接続機の保守管理方法。
【発明の詳細な説明】
【０００１】
【発明の属する技術分野】
本発明は、通信用光ファイバ同士を融着接続するための融着接続機を備えた融着接続装置および融着接続機の保守管理方法に関するものである。
【０００２】
【従来の技術】
従来における融着接続装置としては、例えば特開平１０−２８２３５８号公報に記載されているように、光ファイバの融着接続工程を撮像するカメラと、カメラにより得られた画像データを記憶するメインメモリと、画像データを保守局に送信するための通信制御器とを備えたものが知られている。
【０００３】
【発明が解決しようとする課題】
しかしながら、上記従来技術においては、融着接続装置が正常に作動しない等の動作不具合が生じたときには、保守局との通信のために融着接続装置を公衆回線に接続し、その状態で融着接続作業を行って動作不具合を再現させ、その時の融着接続工程の画像データを保守局に送信する必要がある。このため、融着接続装置の保守や維持管理に手間がかかる。
【０００４】
本発明の目的は、融着接続機の保守や維持管理を容易に行うことができる融着接続装置および融着接続機の保守管理方法を提供することである。
【０００５】
【課題を解決するための手段】
本発明は、光ファイバ同士を融着接続するための融着接続機と、融着接続機と接続され、融着接続機の保守管理を行うためのデータ管理端末機とを備え、融着接続機は、光ファイバ同士を融着する融着部を含む機器本体と、予め決められた手順に従って融着接続機の光ファイバ接続機能を診断する診断手段と、光ファイバ接続機能の診断結果データを記憶するメモリと、メモリに記憶された診断結果データを出力する手段とを有し、データ管理端末機は、メモリに記憶された診断結果データを取り出し、診断結果データを含む情報を表示部に表示させると共に、メモリに予め記憶されている光ファイバ接続機能に関するパラメータ及びプログラムの少なくとも一方を更新することを特徴とするものである。
【０００６】
このような本発明においては、定期的に或いは任意の時期に、診断手段によって融着接続機の光ファイバ接続機能を診断し、その診断結果データをメモリに記憶させる。これにより、パソコン等のデータ管理端末機を融着接続機に接続することで、メモリに記憶された最新の診断結果データを取り出すことができる。そして、保守管理者等がその診断結果データを見て、融着接続動作の不具合の有無を的確に把握し、必要に応じて保守・点検を行う。従って、保守管理者等が融着接続動作の不具合状況を知るために、いちいち融着接続機を作動させて不具合状況を再現させる必要がない。これにより、融着接続機の保守や維持管理を容易に行うことができる。また、データ管理端末機によって、融着接続機のメモリに記憶されている最新の診断結果データを取り出し、閲覧することができる。そして、融着接続動作に何らかの不具合があるときは、例えば光ファイバ接続機能に関するパラメータやプログラムを更新することで、融着接続動作の不具合を解消することができる。
【０００７】
好ましくは、診断手段は、融着接続機のハードウェアの機能を検査する手段と、機器本体に光ファイバがセットされた時の機器本体の機能及び動作状況を検査する手段と、光ファイバが融着接続された時の光ファイバの接続状態を検査する手段とを有する。これにより、融着接続機の性能を左右する要素や光ファイバの接続品質に関わる要素を十分に診断することができる。
【０００９】
この場合、好ましくは、データ管理端末機は、メモリに記憶された診断結果データを保守局に送信すると共に、保守局から送られてくる更新信号を受けて光ファイバ接続機能に関するパラメータ及びプログラムの少なくとも一方を更新する。これにより、保守局においても、融着接続機のメモリに記憶されている最新の診断結果データを取り出すことができる。そして、保守局にいる人間がその診断結果データを見て、融着接続動作に不具合があると判断したときは、その不具合に対する処置を決定し、例えば光ファイバ接続機能に関するパラメータやプログラムを変更するための更新データを送る。従って、融着接続機が保守局から遠く離れた場所にある場合であっても、保守局において融着接続機の保守管理を容易に行うことができる。
【００１０】
また、本発明は、光ファイバ同士を融着接続するための融着接続機を保守管理する融着接続機の保守管理方法であって、融着接続機の保守管理を行うためのデータ管理端末機を融着接続機に接続する工程と、予め決められた手順に従って融着接続機の光ファイバ接続機能を診断し、光ファイバ接続機能の診断結果データをメモリに記憶させる工程と、メモリに記憶された診断結果データをデータ管理端末機によって取り出し、診断結果データを含む情報をデータ管理端末機の表示部に表示させる工程と、メモリに予め記憶されている光ファイバ接続機能に関するパラメータ及びプログラムの少なくとも一方をデータ管理端末機によって更新する工程と、データ管理端末機により取り出した診断結果データを保守局に送信する工程と、保守局において、診断結果データに基づいて融着接続機の保守管理を行う工程とを含むことを特徴とするものである。
【００１１】
このような本発明においては、融着接続機のメモリに記憶された最新の診断結果データを、保守局において取り出すことができる。そして、保守局にいる人間がその診断結果データを見て、融着接続動作の不具合の有無を的確に把握し、必要に応じて保守のための信号を融着接続装置に送信したり、現地の作業者に適切な指示を与える。従って、保守管理局にいる人間が融着接続動作の不具合状況を知るために、いちいち融着接続機を作動させて不具合状況を再現させる必要がない。これにより、融着接続機が保守管理局から遠く離れた場所にある場合であっても、融着接続機の保守や維持管理を容易に行うことができる。また、データ管理端末機によって、融着接続機のメモリに記憶されている最新の診断結果データを取り出し、閲覧することができる。そして、融着接続動作に何らかの不具合があるときは、例えば光ファイバ接続機能に関するパラメータやプログラムを更新することで、融着接続動作の不具合を解消することができる。
【００１２】
【発明の実施の形態】
以下、本発明に係る融着接続装置および融着接続機の保守管理方法の好適な実施形態について図面を参照して説明する。
【００１３】
図１は、本発明に係る融着接続装置の一実施形態およびその保守管理システムの一例を示す構成図である。同図において、本実施形態の融着接続装置１は、光ファイバ同士を融着接続するための融着接続機２と、この融着接続機２にＩ／Ｏケーブル３を介して接続されたパソコン等のデータ管理端末機４とを有している。
【００１４】
このような融着接続装置１に係る保守管理システム５は、上記の融着接続装置１が保守局６から遠く離れた場所、例えば海外や海底ケーブル敷設船上にある場合に、融着接続機２の保守・管理を行うことを可能とするものである。融着接続装置１のデータ管理端末機４には、公衆回線７を介して保守局管理装置（保守局コンピュータ）８が接続されている。
【００１５】
融着接続機２は、図２に示すように、機器本体９と、制御処理部１０と、操作部１１と、表示部１２と、メモリ部１３とを有している。
【００１６】
機器本体９は、融着部である放電部１４と、駆動機構１５と、センサ１６と、照明部１７と、画像観察部１８とを有している。放電部１４は、融着接続機２の筐体１９の上面部に設けられている（図１参照）。放電部１４は、融着接続すべき２本の光ファイバが置かれるステージ（図示せず）に対向配置された２つの電極（図示せず）を有し、各電極間に電圧を印可させることで放電を起こし、ステージに置かれた光ファイバ同士を融着する。
【００１７】
駆動機構１５は、ステージを移動させて、各光ファイバの端面同士の突き合わせや各光ファイバの調心を行う。センサ１６は、ステージの移動量が適正であるかどうかを検出する変位センサ等である。照明部１７は、例えば発光ダイオード（ＬＥＤ）であり、ステージに置かれた光ファイバを照らす。画像観察部１８は、例えばＣＣＤカメラ及び顕微鏡等の光学系を有し、ステージに置かれた光ファイバを撮像して画像データを生成する。これらの駆動機構１５、センサ１６、照明部１７、画像観察部１８は、融着接続機２の筐体１９（図１参照）の内部に配置されている。
【００１８】
制御処理部１０は、上記の機器本体９の各部を制御する。また、制御処理部１０は、予め定められた自己診断プログラムに従って、融着接続機２の光ファイバ接続機能を複数の項目にわたって自己診断すると共に、その自己診断結果の詳細なデータを含む各種データをデータ管理端末機４に出力する処理等を行う。
【００１９】
操作部１１は、例えば融着接続機２の筐体１９の上面部に設けられ（図１参照）、制御処理部１０による自己診断処理の実行開始の指示等を行うものである。表示部１２は、例えば融着接続機２の筐体１９の上方に設けられ（図１参照）、制御処理部１０により実行された自己診断の結果等を表示する。
【００２０】
メモリ部１３は、自己診断プログラムや光ファイバ接続機能に関する各種プログラム等を予め記憶しておくプログラムメモリ１３Ａと、接続条件のパラメータや機能上のパラメータ等といった光ファイバ接続機能に関する各種パラメータを予め記憶しておくパラメータメモリ１３Ｂと、光ファイバの接続データを予め記憶しておく接続データメモリ１３Ｃと、上述した自己診断結果の詳細データを記憶する自己診断結果保存メモリ１３Ｄとを有している。
【００２１】
図３及び図４は、制御処理部１０による自己診断処理手順の詳細を示すフローチャートである。まず作業者が操作部１１を入力操作して、自己診断処理の開始を指示する。
【００２２】
自己診断処理の開始が指示されると、機体番号や使用しているソフトバージョン等といった融着接続機２の機体情報を自己診断結果保存メモリ１３Ｄに記録する（図３の手順５１）。続いて、自己診断の実施日時情報を自己診断結果保存メモリ１３Ｄに記録する（同手順５２）。
【００２３】
次いで、融着接続機２のハードウェア各部の機能、つまり動作の良否や故障の有無等を検査する（同手順５３）。この検査内容としては、具体的には、図５に示すように、各メモリ１３Ａ〜１３Ｄの検査、Ｉ／Ｏポートの検査、センサ１６の検査、駆動機構１５のモータ動作検査、画像観察部１８のＣＣＤ画像検査、照明部１７のＬＥＤ明るさ（光量）検査、画像観察部１８のゴミ付着検査等があげられる。
【００２４】
続いて、上記の検査結果の詳細なデータを自己診断結果保存メモリ１３Ｄに記録する（同手順５４）。そして、その検査結果からエラー（不具合）の有無を判断し（同手順５５）、エラーが無いと判断されたときは、融着接続機２のハードウェア各部の機能が正常である旨を表示部１２に表示させる（同手順５６）。一方、エラーがあると判断されたときは、融着接続機２のハードウェア各部の機能が異常である旨を表示部１２に表示させる（同手順５７）。このとき、不具合発生部位と、その内容に応じた推奨対処法とを一緒に表示部１２に表示させる。
【００２５】
そして、作業者は、その表示部１２の情報を見て、自己診断処理を続行するかどうかを決定し、自己診断処理を続行する場合は、操作部１１によって再び自己診断処理の開始を指示する。すると、上記の手順５１以下の処理が再度実行されることになる。
【００２６】
次いで、接続対象となる光ファイバが融着接続機２のステージ（図示せず）にセットされることを待ち受ける（同手順５８）。そして、作業者によって光ファイバがステージにセットされると、照明部１７のＬＥＤの明るさを調整する（同手順５９）。続いて、駆動機構１５を制御し、ステージにセットされた光ファイバを所定の融着位置に挿入する（同手順６０）。そして、駆動機構１５を制御し、光ファイバ同士を突き合わせる（同手順６１）。続いて、画像観察部１８における顕微鏡のフォーカス調整を行う（同手順６２）。
【００２７】
次いで、光ファイバ融着前（光ファイバセット後）の融着接続機２の機能検査が実施されているかどうかを判断し（同手順６３）、未だ実施していないときは、画像観察部１８により光ファイバを撮像し、その画像データに基づいて光ファイバ融着前における駆動機構１５及び画像観察部１８の機能・動作状態を検査する（同手順６４）。この検査内容としては、具体的には、図５に示すように、光ファイバ（ステージ）の位置・角度の良否検査、画像観察部１８における顕微鏡等の光学系の良否（レンズの破損やフォーカス可否等）検査や光学特性検査、駆動機構１５のモータ駆動速度検査等があげられる。そして、その検査結果に応じて、顕微鏡の位置調整やモータ駆動速度の変更等を行う。
【００２８】
続いて、上記の検査結果の詳細なデータを自己診断結果保存メモリ１３Ｄに記録する（同手順６５）。このとき、上記検査結果データと一緒に、光ファイバの種別を自己診断結果保存メモリ１３Ｄに記録する。そして、その検査結果からエラーの有無を判断し（同手順６６）、エラーが無いと判断されたときは、光ファイバ融着前における駆動機構１５及び画像観察部１８の機能・動作状態が正常である旨を表示部１２に表示させる（同手順６７）。一方、エラーがあると判断されたときは、光ファイバ融着前における駆動機構１５及び画像観察部１８の機能・動作状態が異常である旨を表示部１２に表示させる（同手順６８）。このとき、不具合発生部位と、その内容に応じた推奨対処法とを一緒に表示部１２に表示させる。
【００２９】
ここでも、作業者は、その表示部１２の情報を見て、自己診断を続行するかどうかを決定し、自己診断を続行する場合は、操作部１１によって自己診断処理の開始を指示し、上記処理を最初から実行させる。
【００３０】
次いで、放電部１４における放電パワーの校正を行ったかどうかを判断し（同手順６９）、未だ校正を行っていないときは、放電パワーの校正を行い（同手順７０）、上記手順５８〜６３を繰り返し実行する。
【００３１】
次いで、放電部１４を制御して、ステージ上の各光ファイバ同士を融着接続する（図４の手順７１）。そして、画像観察部１８により各光ファイバの接続部分を撮像し、その画像データに基づいて光ファイバの融着接続状態を検査する（同手順７２）。この検査内容としては、具体的には、図５に示すように、放電回数等といった放電部１４の放電状況や、接続条件に起因する光ファイバ接続部の外径変形（太り、細り）、気泡発生、軸ずれ、コア変形の検査等があげられる。
【００３２】
続いて、上記の検査結果の詳細なデータを自己診断結果保存メモリ１３Ｄに記録する（同手順７３）。このとき、上記検査結果データと一緒に、校正した放電パワーや放電回数、光ファイバの端面角度等の情報を自己診断結果保存メモリ１３Ｄに記録する。そして、その検査結果からエラーの有無を判断し（同手順７４）、エラーが無いと判断されたときは、光ファイバの接続状態が正常である旨を表示部１２に表示させる（同手順７５）。一方、エラーがあると判断されたときは、光ファイバの接続状態が異常である旨を表示部１２に表示させる（同手順７６）。
【００３３】
ここでも、作業者は、その表示部１２の情報を見て、自己診断を続行するかどうかを決定し、自己診断を続行する場合は、操作部１１によって自己診断処理の開始を指示し、上記処理を最初から実行させる。
【００３４】
以上のように融着接続機２のハードウェア各部の機能検査、光ファイバ融着前における駆動機構１５及び画像観察部１８の機能・動作状態の検査、光ファイバ融着後における光ファイバの接続状態の検査を実施することにより、融着接続機２の性能を左右する要素や光ファイバの接続品質に関わる要素をくまなく容易に診断することができる。
【００３５】
なお、上記の処理では、３つの検査を連続的な流れとして行うものとしたが、各検査を独立して行うようにしてもよい。この場合は、作業者が操作部１１を入力操作して、各検査の開始の指示を行う。
【００３６】
データ管理端末機４は、図６に示すように、データ処理部２０と、操作部２１と、表示部２２と、メモリ部２３とを有している。
【００３７】
データ処理部２０は、融着接続機２の保守管理処理を行う。具体的には、融着接続機２のメモリ部１３に記憶された融着接続機２に関わるデータ（以下、単に融着接続機データという）を受け取り、所定のデータ処理を行うと共に、融着接続機２のメモリ部１３に予め記憶されている各種パラメータやプログラムを更新する処理を行う。なお、融着接続機データは、上述したように、自己診断結果の詳細データ、光ファイバの接続データ、各種パラメータ（図８参照）等である。
【００３８】
操作部２１は、融着接続機データを取り出すための指示を行ったり、更新すべきパラメータデータやプログラムの選択を行うものである。表示部２２は、融着接続機データ等の情報を表示するものである。メモリ部２３は、インストーラやファイルクリエータ等の管理端末ソフト（図８参照）が予め記憶されていると共に、融着接続機２のメモリ部１３から取り込んだ融着接続機データを記憶する。
【００３９】
図７は、データ処理部２０による融着接続機２の保守管理処理手順の詳細を示すフローチャートである。
【００４０】
同図において、まず融着接続機２のメモリ部１３から融着接続機データを取得するかどうかを判断する（手順８１）。この判断は、操作部２１による指示入力や、保守局管理装置８から送られてくる指示信号に基づいて行う。そして、融着接続機データを取得するときは、データ出力要求信号を融着接続機２の制御処理部１０に送出する（手順８２）。その後、融着接続機２のメモリ部１３に記憶されている融着接続機データを受信する（手順８３）。
【００４１】
続いて、融着接続機データを編集するかどうかを判断し（手順８４）、編集するときは、融着接続機２から受信した融着接続機データまたは既にメモリ部２３に記憶されている融着接続機データを編集する（手順８５）。続いて、融着接続機データを所定のフォーマットでファイル化したデータファイルを作成する（手順８６）。このファイル化されたデータ群は、自己診断結果の詳細データにおける診断内容の数、項目、順序等を定型化したもの等である。続いて、融着接続機データを保存するかどうかを判断し（手順８７）、保存するときは、ファイル化された融着接続機データをメモリ部２３に保存する（手順８８）。
【００４２】
次いで、上記のファイル化された融着接続機データを保守局管理装置８に送信するかどうかを判断し（手順８９）、送信するときは、図８に示すように、ファイル化された融着接続機データを所定のファイル転送機能によって保守局管理装置８に送信する（手順９０）。このとき、融着接続機データは所定のフォーマットでファイル化されているので、データ処理部２０と保守局管理装置８との間におけるデータ授受手順を容易に自動化できる。なお、ファイル転送機能としては、市販の電子メール機能を持たせることで使用することができ、この場合にはデータ転送等が容易に行える。
【００４３】
このようにデータ処理部２０においては、融着接続機２からの融着接続機データを包括的に管理することができる。
【００４４】
その後、保守局管理装置８から送られてくる更新パラメータデータや更新プログラムがあるかどうかを判断し（手順９１）、そのような更新パラメータデータや更新プログラムがあれば受信する（手順９２）。これらは、上記と同様のフォーマットでファイル化されたものである。
【００４５】
次いで、融着接続機２のメモリ部１３に記憶されているパラメータやプログラムを更新するかどうかを判断し（手順９３）、更新するときは、更新パラメータデータ及び更新プログラムのいずれか一方、或いは両方を融着接続機２の制御処理部１０に送出し、メモリ部１３に記憶させる（手順９４）。この時の更新パラメータデータや更新プログラムとしては、操作部２１により入力されたものと、保守局管理装置８から送られてくるもの（図８参照）とがある。
【００４６】
次いで、融着接続機２の保守管理処理が完了したかどうかを判断し（手順９５）、未だ完了していないときは、手順８１に戻り、上記の処理を繰り返し実行する。一方、保守管理処理が完了したときは、保守管理結果を表示部２２に表示し（手順９６）、更にその保守管理結果を保守局管理装置８に送信する（手順９７）。
【００４７】
図９は、保守局管理装置８による融着接続機２の保守管理処理手順の詳細を示すフローチャートである。
【００４８】
同図において、まずデータ管理端末機４のデータ処理部２０から送られてくるデータファイルがあるかどうかを判断し（手順１０１）、そのようなデータファイルがあれば受信し、表示部（図示せず）に表示させる（手順１０２）。
【００４９】
ここで、保守局６にいる保守管理者は、その受け取ったデータを解析して、融着接続機２の融着接続動作の不具合を把握し、その対応を決定する。具体的には、融着接続機２のプログラムメモリ１３Ａに記憶されているプログラムを更新するか、パラメータメモリ１３Ｂに記憶されているパラメータを更新するかを決定し、更新すべきプログラムまたはパラメータを例えば操作部（図示せず）で選択入力する。
【００５０】
そして、保守局管理装置８においては、融着接続機２への対応がプログラムの更新かどうかを判断し（手順１０３）、プログラムの更新のときは、選択された更新プログラムを準備する（手順１０４）。続いて、データ管理端末機４に更新プログラムを送信するかどうかを判断し（手順１０５）、送信するときは、図８に示すように、更新プログラムファイルをデータ管理端末機４のデータ処理部２０に送出する（手順１０６）。
【００５１】
次いで、更新パラメータデータを編集するかどうかを判断し（手順１０７）、データ編集するときは、選択された更新パラメータデータを編集する（手順１０８）。そして、編集した更新パラメータデータを上記と同様のフォーマットでファイル化した更新パラメータデータファイルを作成する（手順１０９）。続いて、データ管理端末機４に更新パラメータデータを送信するかどうかを判断し（手順１１０）、送信するときは、図８に示すように、更新パラメータデータファイルをデータ管理端末機４のデータ処理部２０に送出する（手順１１１）。
【００５２】
その後、データ管理端末機４から送られてくる保守管理結果を受領する（手順１１２）。そして、融着接続機２の保守管理処理が完了したかどうかを判断し（手順１１３）、未だ完了していないときは、手順１０１に戻り、上記の処理を繰り返し実行する。
【００５３】
次に、以上のように構成した保守管理システム５において、融着接続機２の保守管理を行う方法について説明する。
【００５４】
まず保守局６にいる保守管理者が、保守局管理装置８により融着接続機データの取り出しを指示する。すると、融着接続機２のメモリ部１３に記憶されている最新の自己診断結果の詳細データを含む融着接続機データが、データ管理端末機４を介して保守局管理装置８に送られ、保守局管理装置８の表示部（図示せず）に表示される。保守管理者は、その自己診断結果の詳細データを見て、融着接続機２の融着接続動作に不具合が起きていないか等といった状況を的確に把握する。このとき、融着接続機２から送られてきた自己診断結果データを、工場出荷時に残しておいたデータと比較することで、融着接続機２の状況変化を知ることもできる。
【００５５】
そして、融着接続機２の融着接続動作に不具合がある場合には、保守管理者は、その不具合に対する処置を決定し、更新パラメータデータを融着接続機２に送信して、光ファイバ接続機能に関するパラメータを変更したり、更新プログラムを融着接続機２に送信して、光ファイバ接続機能に関するソフトウェアのアップグレードを行う。また、融着接続動作の不具合が軽微なものであれば、現地作業者に単純な操作指示のみを行うこともある。これにより、遠隔地の融着接続機２に対する保守管理サービスを十分な内容で行うことができる。
【００５６】
また、現地においても、融着接続機２を保守管理することができる。この場合には、まずデータ管理端末機４の操作部２１により融着接続機データの取り出しを指示する。すると、融着接続機２のメモリ部１３に記憶されている最新の自己診断結果の詳細データを含む融着接続機データが、データ管理端末機４の表示部２２に表示される。そして、その自己診断結果の詳細データを基にして、上記と同様の方法により融着接続機２を維持管理する。
【００５７】
以上のように本実施形態によれば、融着接続機２の光ファイバ接続機能を自己診断した時の詳細データが融着接続機２のメモリ部１３に記憶されているので、作業現場においても保守局６においても、自己診断結果の詳細データを必要な時にいつでも取り出すことができる。従って、融着接続動作の不具合状況の画像データに基づいて融着接続機２の保守管理を行う場合のように、いちいち融着接続機２を作動させて不具合状況を再現させなくて済む。これにより、融着接続機２の保守や維持管理を、遠隔地からでも容易にサポートすることができる。
【００５８】
また、融着接続機２には、保守局管理装置８と通信を行うための通信制御装置等が特に設けられていないので、融着接続機２に関してコスト面やサイズ面で有利となる。
【００５９】
図１０は、本発明に係る融着接続装置の一実施形態およびその保守管理システムの他の例を示す構成図である。図中、図１に示すものと同一または同等の部材には同じ符号を付し、その説明を省略する。
【００６０】
同図において、保守管理システム３０は、例えば光部品の工場内にある保守局３１において、複数の融着接続機２の保守・管理を行うことを可能とするものである。各融着接続装置１は、ＬＡＮ等のネットワーク３２を介して保守局管理装置３３と常時接続されている。
【００６１】
このような保守管理システム３０では、保守局管理装置３３において各融着接続機２の状態を常時または定期的に監視することで、異常発生時の復旧、保守が行いやすくなる。また、各融着接続機２のパラメータ設定やソフトバージョンアップを一括して効率良く行うことができる。さらに、融着接続機２の光ファイバ接続機能を自己診断した結果、融着接続機２に何らかの異常があると判定されたときに、その旨と自己診断結果の詳細データとを保守局管理装置３３に自動的に送信するような構成とすることができる。
【００６２】
なお、本発明は、上記実施形態に限定されるものではない。例えば、上記実施形態の融着接続装置１では、データ管理端末機４が融着接続機２に常時接続されているが、特にこれには限らず、必要な時のみ、融着接続機２にデータ管理端末機４を接続し、融着接続機２の光ファイバ接続機能を自己診断した時の詳細データを入手するようにしてもよい。
【００６３】
【発明の効果】
本発明によれば、予め決められた手順に従って融着接続機の光ファイバ接続機能を診断し、この光ファイバ接続機能の診断結果データをメモリに記憶しておくようにしたので、融着接続機の保守や維持管理を容易に行うことができる。
【図面の簡単な説明】
【図１】本発明に係る融着接続装置の一実施形態およびその保守管理システムの一例を示す構成図である。
【図２】図１に示す融着接続装置の構成図である。
【図３】図２に示す制御処理部による自己診断処理手順の詳細を示すフローチャートである。
【図４】図２に示す制御処理部による自己診断処理手順の詳細を示すフローチャートである。
【図５】図３及び図４に示す自己診断処理を実行するための自己診断プログラムの概略を示す図である。
【図６】図１に示すデータ管理端末機の構成図である。
【図７】図６に示すデータ処理部による融着接続機の保守管理処理手順の詳細を示すフローチャートである。
【図８】図１に示す融着接続装置と保守局管理装置との間におけるデータ及びプログラムの流れを示す図である。
【図９】図６に示す保守局管理装置による融着接続機の保守管理処理手順の詳細を示すフローチャートである。
【図１０】本発明に係る融着接続装置の一実施形態およびその保守管理システムの他の例を示す構成図である。
【符号の説明】
１…融着接続装置、２…融着接続機、４…データ管理端末機、５…保守管理システム、６…保守局、８…保守局管理装置、９…機器本体、１０…制御処理部（診断手段）、１３…メモリ部、１３Ｄ…自己診断結果保存メモリ、１４…放電部（融着部）、２０…データ処理部、３０…保守管理システム、３１…保守局、３３…保守局管理装置。
【図１】
0003952822.tif 000002
【図２】
0003952822.tif 000003
【図３】
0003952822.tif 000004
【図４】
0003952822.tif 000005
【図５】
0003952822.tif 000006
【図６】
0003952822.tif 000007
【図７】
0003952822.tif 000008
【図８】
0003952822.tif 000009
【図９】
0003952822.tif 000010
【図１０】
0003952822.tif 000011